【事件の表示】
　特許第３２７７５５５号「増幅型固体撮像装置」の請求項１ないし６に係る特許に対する特許異議の申立てについて、次のとおり決定する。
【結　論】
　特許第３２７７５５５号の請求項１ないし６に係る特許を維持する。
【理　由】
第１ 本件に係る発明
　本件特許第３２７７５５５号(平成１４年２月１５日設定登録、請求項の数６)に係る発明は、その特許請求の範囲の請求項１ないし６に記載された次に掲げるとおりのものである。
　
【請求項１】 複数の画素が水平及び垂直方向にマトリクス状に２次元配列されたイメージセンサ部と、
　前記イメージセンサ部の各水平ラインの１つを順次選択しつつその選択した水平ラインの各画素から信号を読み出す垂直走査回路と、
　前記垂直走査回路によって選択された１水平ラインの各画素のうちｎ個の画素を１ブロックとしてブロック単位で各画素の信号を２つのグループに分けて位相をずらしてｎ本の水平信号線に読み出す水平走査回路と、
　前記ｎ本の水平信号線に読み出された各信号を位相の異なる２信号ずつ時分割的に組み合わせて出力する出力回路とを備えたことを特徴とする増幅型固体撮像装置。
【請求項２】 ｎ＝４であり、
　前記出力回路は、４本の水平信号線に読み出された各信号を位相の異なる２信号ずつ時分割的に組み合わせて２つの出力信号として導出することを特徴とする請求項１記載の増幅型固体撮像装置。
【請求項３】 前記水平走査回路は、４本の水平信号線のうち、第１，第３の水平信号線に読み出す各信号と第２，第４の水平信号線に読み出す各信号とを位相をずらして読み出し、
　前記出力回路は、第１，第２の水平信号線に読み出された各信号を組み合わせて第１の出力信号を導出し、第３，第４の水平信号線に読み出された各信号を組み合わせて第２の出力信号を導出することを特徴とする請求項２記載の増幅型固体撮像装置。
【請求項４】 前記出力回路は、第１，第２の水平信号線を切り換えるスイッチ手段を備え、このスイッチ手段による切換えによって各水平信号線に読み出された信号を時分割的に前記第１の出力信号として導出することを特徴とする請求項３記載の増幅型固体撮像装置。
【請求項５】 前記出力回路は、第３，第４の水平信号線を切り換えるスイッチ手段を備え、このスイッチ手段による切換えによって各水平信号線に読み出された信号を時分割的に前記第２の出力信号として導出することを特徴とする請求項３記載の増幅型固体撮像装置。
【請求項６】 ｎ＝８であり、
　前記出力回路は、８本の水平信号線に読み出された各信号を位相の異なる２信号ずつ時分割的に組み合わせて４つの出力信号として、この４つの出力信号を２信号ずつ時分割的に組み合わせて２つの出力信号として、又はこの２つの出力信号を時分割的に組み合わせて１つの出力信号として導出することを特徴とする請求項１記載の増幅型固体撮像装置。
　
第２ 特許異議申立の理由及び証拠の概要
　特許異議申立人は、本件特許請求の範囲の請求項１ないし６に係る発明について、証拠として次に掲げる甲第１ないし６号証を提出し、本件請求項１ないし５に係る発明は、甲第１号証に記載された発明と同一のものであり、また、本件請求項１ないし６に係る発明は、甲第１号証又は甲第１ないし６号証に記載された発明に基づいて当業者が容易に発明することができたものであるから、特許法２９条１項３号の規定に該当し、また、同法２９条２項の規定により、特許を受けることができないものである。したがって、本件請求項１ないし６に係る特許を取り消すべきである旨主張している。
　
　甲第１号証：特開平２−２６８０６０号公報
　甲第２号証：特開平１−２４３６７５号公報
　甲第３号証：特開昭６３−９３２８２号公報
　甲第４号証：特開平３−２７６６７５号公報（本件特許掲載公報に挙げられている参考文献）
　甲第５号証：特開平４−６９６７号公報（本件特許掲載公報に挙げられている参考文献）
　甲第６号証：特開平４−１９２８９０号公報
　
　１　甲第１号証に記載された発明
　　甲第１号証には、次に掲げる(1)(2)の事項からなるセンサ装置が記載されている。
　  (1) 本発明のセンサ装置では、出力線を四分割し、その各出力線に、四列毎の各センサ部を第１段目の四つのスイッチ手段を介して、それぞれ共通接続することで、出力線の寄生容量を低下させ、読み出し効率を向上させるとともに、
　前記分割された四本の出力線のうち、二組の二本の出力線を、それぞれ第２段目の二つのスイッチ手段を介して共通接続することにより、各センサ部から分割された各出力線への信号読み出し時間を従来よりも長くすることができるため、さらに一層読み出し効率の向上が図れる。（2頁右上欄10行ないし末行）
　  (2) 一連の読み出し動作、リセット動作は、水平読み出しラインｌ１、水平読み出しラインｌ４，水平読み出しラインｌ２，水平読み出しラインｌ３の順に繰り返し行われ、センサ部から順次シリアル信号をアンプＡ３から出力される。（4頁右上欄3行ないし8行）
　
　２　甲第２号証に記載された発明
　　光信号を電気信号に変換し、蓄積するために２次元状に配置された受光手段と、この受光手段の電気信号を増幅するための増幅手段の増幅出力電荷を同時刻に容量に入力した後、上記容量を 走査し、上記容量に蓄えられていた増幅信号を読み出すことによって各画素の光信号蓄積時間を全く同一した固体撮像装置（1頁特許請求の範囲の項及び産業上の利用分野の項を参照）
　
　３　甲第３号証に記載された発明
　　光電変換素子の読出し信号を蓄積手段に一時蓄積した後、アンプを通して出力する光電交換装置において、前記蓄積手段にバイアス電圧を適時印加するスイッチ手段を設けたことによって上記蓄積容量の基準電位を適時変化させることができ、読出し信号の信号成分を損なうことなく、電源を単一化できる光電変換装置（2頁下段問題点を解決するための手段の項及び作用の項を参照）
　
　４　甲第４号証に記載された発明
　　複数の画素がマトリクス状に配列されてなる固体撮像素子において、上記画素を、受光素子と、その受光素子からの信号電荷を増幅する増幅手段と、その信号電荷を行選択によりリセットするリセット手段と、上記増幅手段と直列に接続され、行選択により上記増幅手段からの増幅された信号電荷を信号線に供給する行選択スイッチとを有するようになすと共に、上記リセット手段の電源供給用配線と上記増幅手段の電源供給用配線とが共用するように構成することにより、配線を増やすことなく、行単位に独立にリセットが行えるようにして、感度の劣化を招来させることなく、フレーム読み出し及びフィールド読み出しを可能にさせると共に、電子シャッター機能をも持たせることができるようにした固体撮像素子（1頁下段発明の概要の項を参照）
　
　５　甲第５号証に記載された発明
　　受光素子とその受光素子からの信号電荷を増幅する増幅手段とその信号電荷をリセットするリセット手段を各画素に有し、これら画素がマトリクス状に配列されてなる固体撮像素子において、読出し動作を行う信号線に対し、その読出し動作の前に予め該信号線を初期レベルに設定するように構成することにより、高速で高Ｓ／Ｎの読出しを可能にすると共に、感度の向上並びにスミアの低域化をも図れるようにした固体撮像装置（1頁下段発明の概要の項を参照）
　
　６　甲第６号証に記載された発明
　　複数の撮像素子の出力を時間的に切り換えて読み出し、時分割信号としてカラーの信号を伝送することができるカラー撮像装置の信号読み出しに好適な信号処理方式（3頁下段発明の概要の項を参照）
　
第３　本件請求項１に係る発明と甲第１ないし６号証に記載された発明との対比・検討
　本件請求項１に係る発明と甲第１ないし６号証に記載された発明とを対比して、検討すると、甲第１ないし６号証に記載された発明は、本件請求項１に係る発明における次に掲げる主要な事項を備えていない。
　
　「２信号ずつ時分割的に組み合わせて出力する出力回路」
　
　この主要な事項を採用することにより、本件請求項１に係る発明は、本件特許掲載公報に記載の「１本の水平信号線に接続する出力トランジスタ数を減らした上で出力ピン数を削減できるとともに、出力トランジスタの動作速度が遅くても見掛け上高速にて出力を導出できる出力部を備えた増幅型固体撮像装置を提供する」（3頁5欄30行ないし34行）という目的を達成し、「１水平ラインの各画素のうちｎ個の画素を１ブロックとしてブロック単位で各画素の信号を２つのグループに分けて位相をずらしてｎ本の水平信号線に読み出すとともに、このｎ本の水平信号線に読み出された各信号を位相の異なる２信号ずつ時分割的に組み合わせて出力する構成としたことにより、水平信号線の本数よりも出力数を少なくできるので、１本の水平信号線に接続する出力トランジスタ数を減らした上で出力ピンを削減でき、しかも出力トランジスタの動作速度が遅くても見掛け上高速にて出力を導出できる」（4頁8欄18行ないし27行）という効果を奏するものである。
　これに対して、甲第１ないし６号証に記載された発明は、上記主要な事項を備えてなく、また、甲第１ないし６号証には、この主要な事項を示唆する記載もなされていない。
　したがって、本件請求項１に係る発明は、甲第１号証に記載された発明と同一のものではなく、また、甲第１ないし６号証に記載された発明に基づいて当業者が容易に発明をすることができたものともいえない。
　また、他の請求項２ないし６に係る発明は、請求項１を直接又は間接に引用するものであるから、上記対比・検討したように、同一のものではなく、また、容易に発明をすることができたものではない。
　
第４　特許異議申立人の主張についての検討
　異議申立人は、申立の理由で、上記主要な事項に関連して、甲第１号証に記載されたトランジスタＭ11、Ｍ12の構成は、本件請求項１の出力回路に対応する。また、甲第１号証に記載されたトランジスタＭ11、Ｍ31、Ｍ14、Ｍ32の構成は、本件請求項１の出力回路に対応する（異議申立書6頁6,7行及び21,22行）旨主張しているので、これについて検討する。
　
　甲第１号証に記載のセンサ装置は、センサ部Ｓからブロック単位の信号Ｓ1ないしＳ4を順次繰り返して読み出すものであって、信号Ｓ1ないしＳ4は、出力トランジスタＭ11ないしＭ14によって順次選択され、出力トランジスタＭ31、Ｍ32によって交互に読み出されるものである。
　すなわち、甲第１号証に記載の出力回路は、「１信号ずつ時分割的に組み合わせて出力する出力回路」であって、本件請求項１に記載の「２信号ずつ時分割的に組み合わせて出力する出力回路」ではない。
　したがって、甲第１号証に記載のトランジスタの構成は、本件請求項１の出力回路に対応しないから、異議申立人の主張は採用できない。
　
第５　むすび
　以上、本件特許異議申立の理由及び証拠によっては、本件請求項１ないし６に係る特許を取り消すことはできない。
　また、他に本件請求項１ないし６に係る特許を取り消すべき理由を発見しない。
　よって、結論のとおり決定する。
【異議決定日】
平成１４年１２月１６日（２００２．１２．１６）